(57)【要約】  第１反射シート（３）は、各導光体（５）の出射面（５ｃ）を有する面の反対側に、反対側の面を個々に覆うように設けられており、第２反射シート（４）は、隣接する２つの導光体（５）が重ならないように連なる部分にできる第１の隙間（１）において、第１反射シート（３）が存在しない領域を覆うように、導光体（５）間に跨って、第１反射シート（３）の導光体（５）側の面の反対側に設けられている。これにより、各導光体（５）間に隙間（１）が出来たとしても、第１反射シート（３）を複数の導光体（５）に個別に設けながら、薄型で、発光面における輝度の均一性をより向上させることのできる照明装置（３１）を実現する。
2010038516.tif 000002
【特許請求の範囲】
【請求項１】
光源と、該光源からの光を拡散させて面発光させる導光体との組み合わせを複数個備えた照明装置において、
第１反射シートは、上記各導光体の出射面を有する面の反対側に、上記反対側の面を個々に覆うように設けられており、
第２反射シートは、少なくとも、隣接する２つの上記導光体が重ならないように連なる部分にできる第１の隙間において、上記第１反射シートが存在しない領域を覆うように、上記２つの導光体間に跨って、上記反対側の面側に設けられていることを特徴とする照明装置。
【請求項２】
光源と、該光源からの光を拡散させて面発光させる導光体との組み合わせを複数個備え、隣り合う導光体同士は重なりを持たないように構成された照明装置において、
第１反射シートは、上記各導光体の出射面と対向する対向面を個々に覆うように設けられていると共に、
第２反射シートは、隣り合う導光体同士の間に形成された第１の隙間を覆うように上記導光体の対向面側に配置されていることを特徴とする照明装置。
【請求項３】
光源と、該光源からの光を拡散させて面発光させる導光体との組み合わせを複数個備え、上記導光体は、それぞれ、出射面を有する発光部と、該発光部へ上記光源からの光を導く導光部とを有し、一方の導光体の導光部に、該一方の導光体に隣り合う他方の導光体の発光部が乗り上げるように配置されてなる照明装置において、
第１反射シートは、上記各導光体の出射面と対向する対向面を個々に覆うように設けられていると共に、
第２反射シートは、少なくとも、隣接する２つの上記導光体が重ならないように連なる部分にできる第１の隙間を覆うように、上記導光体の対向面側に配置されていることを特徴とする照明装置。
【請求項４】
上記第１反射シートと上記第２反射シートとは、少なくとも部分的に重なりを持つように設けられていることを特徴とする請求項１から３の何れか１項に記載の照明装置。
【請求項５】
上記第２反射シートは、上記一方の導光体の導光部と上記他方の導光体の発光部とが接する面の少なくとも一部を覆うように設けられていることを特徴とする請求項３に記載の照明装置。
【請求項６】
上記第２反射シートは、上記一方の導光体の導光部と上記他方の導光体の発光部とが接する面のうち、少なくとも、上記一方の導光体の導光部に設けられた光源の上方の領域を覆うように設けられていることを特徴とする請求項３または５に記載の照明装置。
【請求項７】
上記第２反射シートは、両面反射シートであることを特徴とする請求項３、５または６に記載の照明装置。
【請求項８】
上記第２反射シートは、隣接する上記２つの導光体が重なるように連なる部分にできる第２の隙間へ延在して配置されていることを特徴とする請求項１、３、５〜７の何れか１項に記載の照明装置。
【請求項９】
上記第２反射シートは、隣接する２つの上記導光体が重ならないように連なる方向に複数枚配置され、かつ、その複数枚の第２反射シート間の継ぎ目に隙間ができないように設けられていることを特徴とする請求項１から８の何れか１項に記載の照明装置。
【請求項１０】
上記第１反射シートは、第１の接着部により、上記導光体に接着されていることを特徴とする請求項１から９の何れか１項に記載の照明装置。
【請求項１１】
上記第１反射シートは、上記導光体の上記反対側の面における端部分にて、上記第１の接着部により接着されていることを特徴とする請求項１０に記載の照明装置。
【請求項１２】
上記第１反射シートは、第２の接着部により、上記第２反射シートに接着されていることを特徴とする請求項１から１１の何れか１項に記載の照明装置。
【請求項１３】
上記第２反射シートは、第３の接着部により、上記導光体が装着される基板に接着されていることを特徴とする請求項１から１２のいずれか１項に記載の照明装置。
【請求項１４】
請求項１から１３の何れか１項に記載の照明装置の発光面上には、光学部材が設けられていることを特徴とする面光源装置。
【請求項１５】
請求項１４に記載の面光源装置をバックライトとして備えていることを特徴とする液晶表示装置。
【請求項１６】
光源と、該光源からの光を拡散させて面発光させる導光体との組み合わせを複数個備えた照明装置において、
第１反射シートは、上記各導光体の出射面を有する面の反対側に、上記反対側の面を個々に覆うように設けられており、
第２反射シートは、少なくとも、隣接する２つの上記導光体が重ならないように連なる部分にできる第１の隙間において、上記第１反射シートが存在しない領域を覆うように、上記反対側の面側に設けられていることを特徴とする照明装置。
【請求項１７】
上記導光体の出射面における、相対的な暗所に対応する上記反対側の面側には、少なくとも、上記第１反射シートと上記第２反射シートとが重なりを持つように設けられていることを特徴とする請求項１〜３、１６の何れか１項に記載の照明装置。
【発明の詳細な説明】
【技術分野】
【０００１】
本発明は、液晶表示装置のバックライトなどとして利用される照明装置、面光源装置、および、この面光源装置を備えている液晶表示装置に関するものである。
【背景技術】
【０００２】
近年、ブラウン管（ＣＲＴ）に代わり急速に普及している液晶表示装置は、省エネ型、薄型、軽量型等の特長を活かし液晶テレビ、モニター、携帯電話等に幅広く利用されている。これらの特長をさらに活かす方法として液晶表示装置の背後に配置される照明装置（いわゆるバックライト）の改良が挙げられる。【０００３】
照明装置であるバックライトは、主にサイドライト型（エッジライト型ともいう）と直下型とに大別される。サイドライト型は、液晶表示パネルの背後に導光板が設けられ、導光板の端部に光源が設けられた構成を有している。光源から出射した光は、導光板で反射して間接的に液晶表示パネルを均一照射する。この構造により、輝度は低いが、薄型化を図った照明装置が実現できる。そのため、サイドライト型の照明装置は、携帯電話、ノートパソコン等のような中小型液晶ディスプレイに主に採用されている。【０００４】
また、直下型の照明装置は、液晶表示パネルの背後に光源を複数個配列し、液晶表示パネルを直接照射する。したがって、大画面でも高輝度が得やすく、２０インチ以上の大型液晶ディスプレイで主に採用されている。しかし、現在の直下型の照明装置は、厚みが約２０ｍｍ〜４０ｍｍ程度もあり、ディスプレイの更なる薄型化には障害となる。【０００５】
大型液晶ディスプレイで更なる薄型化を目指すには、光源と液晶表示パネルとの距離を近づけることで解決可能だが、その場合光源の数を多くしなければ、照明装置の輝度均一性を得る事はできない。その一方で、光源の数を増やすとコストが高くなる。そのため、光源の数を増やすことなく、薄型で輝度均一性に優れた照明装置の開発が望まれている。【０００６】
従来、これらの問題を解決するため、複数個の導光体ユニットを並べることで構成される照明装置を用いることで、大型液晶ディスプレイを薄型化するという試みがなされている。【０００７】
特許文献１には、図８の（ａ）に示すように、異なる波長の単色光を発生させるＬＥＤが所定間隔で並列配置されている複数のＬＥＤアレイ光源２０２を用いた構成の面光源装置２０１について開示されている。【０００８】
上記面光源装置２０１の第１導光体２０４は、水平に配置された上面とこの上面に対して傾斜して配置された下面とを備えたくさび形の断面形状を有するとともに、厚い側の端面が第１単色光混合部材（導光部）２０８を介して、各ＬＥＤアレイ光源２０２に対向して配置されている。【０００９】
なお、第２導光体２０６は、水平に配置された下面とこの下面に対して傾斜して配置された上面とを備えたくさび形の断面形状を有するとともに、上記第１導光体２０４の反対側であり、厚い側の端面が第２単色光混合部材（導光部）２１０を介して各ＬＥＤアレイ光源２０２に対向して配置されている。【００１０】
さらに、第１単色光混合部材（導光部）２０８または、第２単色光混合部材２１０（導光部）を伝搬中に、上方へ抜けようとする光成分は反射材２１４によって、下方へ抜けようとする光成分は反射板２２２によって、それぞれ反射され、第１単色光混合部材（導光部）２０８または、第２単色光混合部材２１０（導光部）内に戻される構成となっていることが記載されている。【００１１】
また、特許文献２には、図８の（ｂ）に示すように、矩形状光出射面３１８ａと、その一辺に略平行かつその略中央部に位置する厚肉部と、厚肉部に略平行に形成される１対の薄肉端部と、厚肉部の略中央で、上記光出射面３１８ａと逆側に形成され、棒状光源を収納する平行溝と、厚肉部から両側の薄肉端部のそれぞれに向かって肉厚が薄くなり、傾斜背面を形成する傾斜背面部とで構成される透明な導光板ユニット３１８を複数有し、隣接する導光板ユニット３１８の上記薄肉端部は連結され、連結された導光板ユニット３１８の光出射面が、同一平面上に配置される面光源装置３０２が開示されている。【００１２】
さらに、上記面光源装置３０２は、光源３１２、拡散シート３１４と、拡散板３１６と、プリズムシート３１７と、反射シート３２２とを備えている。【００１３】
また、上記反射シート３２２は、上記導光板ユニット３１８の背面から漏洩する光を反射して、再び上記導光板ユニット３１８に入射させるためのものであり、光の利用効率を向上させることができる。このような上記反射シート３２２は、上記導光板ユニット３１８の下面（傾斜面）を覆うように形成されることが記載されている。【００１４】
また、特許文献３には、図８の（ｃ）に示すように、複数の面発光ユニットＵ２が互いに平行に配列されている構成のタンデム型面光源装置が開示されている。各面発光ユニットＵ２は、屈折率ｎｇの板状の導光体４０３を有する。上記導光体４０３の裏面４３４上の漏光モジュレータ４０８は、第１及び第２の屈折率領域部４８１、４８２を有する複合層４８０と第３の屈折率層４８３とを備えているとともに、上記漏光モジュレータ４０８の表面には、複数のプリズム列４０９が備えられた構成である。上記構成であるため、発光面の輝度分布において、所要の方向の輝度を高くすることができ、表示装置のバックライトとして用いた場合に表示画像の品位を向上させることができると記載されている。【００１５】
また、上記複数のプリズムの列４０９に隣接して光反射素子４０５が配置されており、すなわち、プリズム列４０９の形成された第３の屈折率層４８３に対向して光反射素子４０５が配置されている。この光反射素子４０５が、光源４０１のリフレクタ４０２に連なってこれと一体的に形成されている構成、さらには、漏光モジュレータ４０８などの付された導光体の先端部分の側端面にまで延びている構成、光反射素子４０５と一体的に形成された上記光源４０１のリフレクタ４０２が上記導光体の切欠段部４３５（隣接する面発光ユニットの導光体並びにそれに付された漏光モジュレータ４０８及びプリズム列４０９の導光体光入射端面と反対側の先端部分Ｅを受け入れて当該位置に保持する機能を有する）の底面上にまで延びている構成について記載されている。
【先行技術文献】
【特許文献】
【００１６】
【特許文献１】日本国公開特許公報「特開２００６−２６９３６５号公報（公開日：２００６年１０月５日）」
【特許文献２】日本国公開特許公報「特開２００６−３０１５１８号公報（公開日：２００６年１１月２日）」
【特許文献３】日本国公開特許公報「特開２００６−１０８０３３号公報（公開日：２００６年４月２０日）」
【発明の概要】
【発明が解決しようとする課題】
【００１７】
ところが、上記のように例示した導光体は、導光体同士の損傷、照明装置の薄型化、製造上の誤差等を考慮して、マイナス公差で製造されるのが一般的であり、そのため、導光体間の継ぎ目部分には、マイナス公差分の隙間が生じる。【００１８】
上記のような導光体の製造上の問題点に基づいて、導光体間の継ぎ目部分に発生する隙間は、上記導光体の出射面が連なって形成される発光面上において、非発光領域として見えてしまう。このため、このように複数の導光体が連なってなる照明装置を表示装置のバックライトとして用いた場合には、上記発光面上に輝度ムラが発生し、表示画像の品位の低下を招いてしまうという問題が発生する。また、暗線部分となることによりバックライトとして見た場合の輝度効率が低下するという問題も発生する。【００１９】
しかしながら、上記特許文献１〜３においては、導光体間の継ぎ目部分に発生する隙間による表示画像の品位低下には、全く着目されておらず、上記隙間部分には何ら工夫もなされてないため、上記隙間部分は、全く発光せず、暗線となってしまうのである。【００２０】
本発明は、上記の問題点に鑑みてなされたものであり、各導光体間に隙間が出来たとしても、薄型で、発光面における輝度の均一性をより向上させることのできる照明装置を提供することを目的とする。【００２１】
また、上記照明装置を備えることにより、薄型で、発光面における輝度の均一性をより向上させることのできる面光源装置を提供することを目的とする。【００２２】
また、上記面光源装置をバックライトとして備えることにより、表示品位が良好であり、かつ薄型の液晶表示装置を提供することを目的とする。
【課題を解決するための手段】
【００２３】
本発明の照明装置は、上記の課題を解決するために、光源と該光源からの光を拡散させて面発光させる導光体との組み合わせを複数個備えた照明装置において、第１反射シートは、上記各導光体の出射面を有する面の反対側に、上記反対側の面を個々に覆うように設けられており、第２反射シートは、少なくとも、隣接する２つの上記導光体が重ならないように連なる部分にできる第１の隙間において、上記第１反射シートが存在しない領域を覆うように、上記２つの導光体間に跨って、上記反対側の面側に設けられていることを特徴としている。【００２４】
＜導光体が重ならないように連なる部分にできる第１の隙間＞
既に上述したように、導光体は、導光体同士の損傷、照明装置の薄型化、製造上の誤差等を考慮して、マイナス公差で製造されるのが一般的であり、そのため、導光体間の継ぎ目部分には、マイナス公差分の隙間が生じ、このような隙間は、上記導光体の出射面が連なって形成される発光面上においては、非発光領域として見えてしまうのである。したがって、このように複数の導光体が連なってなる照明装置を表示装置のバックライトとして用いた場合には、上記発光面上に輝度ムラが発生し、表示画像の品位の低下を招いてしまう。【００２５】
なお、導光体が重ならないように連なる部分にできる隙間（第１の隙間と呼ぶ）とは、複数の導光体が同一平面上において連なるときに、隣り合う導光体同士の間に発生する隙間をいう。例えば、複数の導光体が互いに重ならないように２次元的に並んで配置される照明装置（タイル式照明装置）においては、隣り合う導光体間に生じる隙間は、１つの導光体の全周（例えば、平面形状が矩形の場合、該矩形の四辺）において、導光体が重ならないように連なる部分にできる隙間、すなわち第１の隙間となる。つまり、タイル式照明装置において発生する隙間は、隙間の種類として、全て上記第１の隙間となる。【００２６】
一方、一方の導光体の導光部に、該一方の導光体に隣り合う他方の導光体の発光部が乗り上げるように配置される照明装置（タンデム式照明装置）においては、上記第１の隙間のほかに、別形態の隙間が発生する。つまり、２種類の隙間、すなわち、導光体が重ならないように連なる部分にできる上記第１の隙間と、導光体が重なるように連なる部分にできる隙間（第２の隙間と呼ぶ）とがそれぞれ存在する。したがって、上記構成では、タイル式照明装置およびタンデム式照明装置のいずれにおいても発生する上記第１の隙間に着目している。【００２７】
＜第１反射シート＞
上記構成によれば、第１反射シートは、上記各導光体の出射面を有する面の反対側に、上記反対側の面を個々に覆うように設けられている。すなわち、上記第１反射シートは、上記導光体のそれぞれにおける上記反対側の面から抜けていく光を反射し、上記導光体に戻すことにより、個々の導光体の光利用効率を向上させる役割をしている。【００２８】
なお、一般的な導光体は、光源の光を導光体の内面で全反射させ、その全反射を繰り返すことによって、出射面へと導光するようになっている。この導光体へ入射する光は、全反射臨界角以下で入射された場合、全反射することなく、導光体の内面から外部へ抜け出てしまう。そこで、上記第１反射シートは、上記各導光体の出射面を有する面の反対側の面（以下、導光体の裏面と呼ぶ）に設けられているため、この裏面から外部へ抜けてしまう光を反射し、上記導光体に戻すように構成されている。【００２９】
＜第２反射シート＞
上記第２反射シートは、上述した第１の隙間を覆うように、上記２つの導光体間に跨って、上記導光体の裏面に設けられているので、上記隙間に反射シートが存在しないために発生する暗線を防ぐことができる。【００３０】
したがって、上記第２反射シートを設けることにより、発光面全体の輝度ムラを改善することができる。【００３１】
＜反射シート２枚構成の必要性＞
上述した上記隙間を覆う際に１枚の反射シートのみを用いた場合は、長い１枚ものの反射シートを用いて上記第１の隙間を覆う構成が考えられる。しかし、反射シートの長さが長くなると、反射シートを導光体に設ける工程において、位置決定や固定が難しくなり、作業性が落ちるとともに、反射シートの熱収縮により、皺が発生し、反射シートが導光体から浮きやすくなってしまうなどの問題が発生する。【００３２】
上記の長い反射シートとは逆に、短い反射シートを用いて、上記第１の隙間を覆うべく、各導光体間に跨って反射シート設けた場合には、反射シートが短いために、反射シートの繋ぎ目部分に反射シートが存在しない領域が発生してしまうという問題がある。【００３３】
したがって、本発明においては、第１反射シートおよび第２反射シートの２枚の反射シートを用いる構成とし、１枚構成の問題の解消を図っている。【００３４】
＜反射シートの形状関連＞
上記第１反射シートまたは、第２反射シートの長さが長くなると上述したような問題が発生するため、本発明において、第１反射シートは、上記各導光体の裏面を個々に覆うように設けており、第２反射シートは、上記２つの導光体間に跨って設ける構成としている。したがって、上記第１反射シート及び第２反射シートの形状および大きさは、各導光体の形状および大きさの影響を受ける構成となっている。【００３５】
また、本発明の照明装置は、上記の課題を解決するために、光源と、該光源からの光を拡散させて面発光させる導光体との組み合わせを複数個備えた照明装置において、第１反射シートは、上記各導光体の出射面を有する面の反対側に、上記反対側の面を個々に覆うように設けられており、第２反射シートは、少なくとも、隣接する２つの上記導光体が重ならないように連なる部分にできる第１の隙間において、上記第１反射シートが存在しない領域を覆うように、上記反対側の面側に設けられていることを特徴としている。【００３６】
本発明においては、上記第２反射シートの長さが上述したような問題とならない限り、第２反射シートは、少なくとも、隣接する２つの上記導光体が重ならないように連なる部分にできる第１の隙間において、上記第１反射シートが存在しない領域を覆うように、設けられている。【００３７】
よって、上記第２反射シートが複数の第１の隙間を覆うように、上記導光体に対して部分的に設けられていてもよい。【００３８】
以上の構成によれば、第２反射シートは、上記第１の隙間において、上記第１反射シートが存在しない領域を覆うように、上記導光体の裏面に設けられていると共に、第１反射シートを複数の導光体に個別に設けることで、長い第１反射シートを使用せずに、薄型で、発光面における輝度の均一性をより向上させることのできる照明装置を実現することができる。【００３９】
本発明の照明装置は、上記の課題を解決するために、光源と、該光源からの光を拡散させて面発光させる導光体との組み合わせを複数個備え、隣り合う導光体同士は重なりを持たないように構成された照明装置において、第１反射シートは、上記各導光体の出射面と対向する対向面を個々に覆うように設けられていると共に、第２反射シートは、隣り合う導光体同士の間に形成された第１の隙間を覆うように上記導光体の対向面側に配置されていることを特徴とする。【００４０】
上記の構成では、隣り合う導光体同士は重なりを持たないように構成されているので、上記照明装置は、既に説明したタイル式の照明装置である。したがって、隣り合う導光体同士の間に形成された隙間は、全て、導光体が重ならないように連なる部分にできる第１の隙間となる。【００４１】
なお、「第１の隙間を覆う」とは、導光体の対向面と、隣り合う導光体の対向面の間にできる第１の隙間に第２反射シートが存在するように、あるいは、該第１の隙間を第２反射シートが隠すようにとの意味であり、第１の隙間の凹部を第２反射シートが充填するとの意味ではない。【００４２】
上記の構成によれば、既に説明したとおり、第２反射シートは、上記第１の隙間を覆うように、第１反射シートとは別に上記導光体の対向面側に設けられているため、第１反射シートを複数の導光体に個別に設けることで、長い第１反射シートを使用せずに、薄型で、発光面における輝度の均一性をより向上させることのできる照明装置を実現することができる。【００４３】
光源と、該光源からの光を拡散させて面発光させる導光体との組み合わせを複数個備え、上記導光体は、それぞれ、出射面を有する発光部と、該発光部へ上記光源からの光を導く導光部とを有し、一方の導光体の導光部に、該一方の導光体に隣り合う他方の導光体の発光部が乗り上げるように配置されてなる照明装置において、第１反射シートは、上記各導光体の出射面と対向する対向面を個々に覆うように設けられていると共に、第２反射シートは、少なくとも、隣接する２つの上記導光体が重ならないように連なる部分にできる第１の隙間を覆うように、上記導光体の対向面側に配置されていることを特徴とする。【００４４】
上記の構成では、一方の導光体の導光部に、該一方の導光体に隣り合う他方の導光体の発光部が乗り上げるように配置されているので、上記照明装置は、既に説明したタンデム式の照明装置である。したがって、ここでは、タンデム式の照明装置に特有の上記第１の隙間に着目している。【００４５】
上記の構成によれば、既に説明したとおり、第２反射シートは、上記第１の隙間を覆うように、第１反射シートとはずらして設けることで、反射シートの熱収縮による皺の発生や、導光体からの浮きを防止すると共に、薄型で、発光面における輝度の均一性をより向上させることのできる照明装置を実現することができる。【００４６】
上記第１反射シートと上記第２反射シートとは、少なくとも部分的に重なりを持つように設けられていることが好ましい。【００４７】
上記の構成において、第１反射シートと第２反射シートとが部分的に重なりを持つとは、部分的に２層に積層されていることを意味している。【００４８】
このように、第１反射シートと第２反射シートの積層構造を、少なくとも部分的に採用したことにより、上記導光体の裏面から抜けていく光の反射率が向上するため、輝度効率を改善することができる。【００４９】
なお、例えば、第１反射シートが設けられた導光体の上記裏面に設ける第２反射シートの面積を大きくするほど、上記積層構造の面積が大きくなるので、第１反射シートによって反射されず、抜けていく光を第２反射シートで反射することができるので、反射率が向上し、輝度効率をさらに改善することができる。【００５０】
また、上記タンデム式の照明装置では、一方の導光体の導光部に、該一方の導光体に隣り合う他方の導光体の発光部が乗り上げるように配置されているため、上記一方及び他方の導光体に設けられたそれぞれの光源からの光は、他方の導光体の裏面に設けた第１及び第２の反射シートにより、上記一方及び他方の導光体の発光量に影響を与えることなく、導光させることが出来るため、発光面に輝度ムラを発生することなく輝度均一性に優れた照明装置となる。【００５１】
よって、上記第１反射シートと上記第２反射シートを積層構造とする事により、第１反射シートの遮蔽率を改善し、暗表示の適切化および上記輝度ムラの改善を図ることができる。【００５２】
上記タンデム式の照明装置では、上記第２反射シートは、上記一方の導光体の導光部と上記他方の導光体の発光部とが接する面の少なくとも一部を覆うように設けられていることが好ましい。【００５３】
タンデム式の照明装置においては、上記他方の導光体の発光部の下側に接して、上記一方の導光体の導光部が配置されている。上記の構成によれば、第２反射シートは、第１の隙間を覆うのみならず、上下に重なり合った２つの導光体同士の互いに接する面の少なくとも一部を覆うように設けられている。すなわち、上記第２反射シートは、上記一方の導光体の導光部の上面（出射面側の面）と上記他方の導光体の発光部の下面（出射面と反対側の面）とが重なる領域の少なくとも一部を覆うように、上記各導光体の裏面側に設けられている。【００５４】
これにより、上記他方の導光体の上記対向面に設けられた第１反射シートに対して、第２反射シートが部分的に積層した構造となる。したがって、既に説明したように、上記他方の導光体に設けられた第１反射シートの反射率の改善効果と、当該第１反射シートが、上記一方の導光体の光源から出射された光を遮蔽する遮蔽率の改善効果とを得ることができる。【００５５】
上記第２反射シートは、上記一方の導光体の導光部と上記他方の導光体の発光部とが接する面のうち、少なくとも、上記一方の導光体の導光部に設けられた光源の上方の領域を覆うように設けられていることが好ましい。【００５６】
これにより、上記一方の導光体の光源から出射された光を最も遮蔽しやすい位置に、上記第２反射シートを設けたので、上記他方の導光体に設けられた第１反射シートが、上記一方の導光体の光源から出射された光を遮蔽する効果を得やすくなる。【００５７】
タンデム式の照明装置において、上記第２反射シートは、両面反射シートであることが好ましい。【００５８】
タンデム式の照明装置では、一方の導光体の導光部に、該一方の導光体に隣り合う他方の導光体の発光部が乗り上げるように配置されているので、上記他方の導光体の下方に、上記一方の導光体の光源が位置し、第２反射シートは、一方の導光体の導光部と他方の導光体の発光部とに挟まれる位置に配置されている。【００５９】
上記の構成によれば、上記第２反射シートは、上記一方の導光体の上面（出射面側の面）から他方の導光体の裏面へ抜けていく光の少なくとも一部を反射し、上記一方の導光体に戻す働きをする。これにより、個々の導光体の光利用効率を向上させることができる。【００６０】
なお、一般的な導光体は、光源の光を導光体の内面で全反射させ、その全反射を繰り返すことによって、出射面へと導光するようになっている。上記一方の導光体の上面においては、導光体を構成する材質によって決まる全反射臨界角以下で入射する光は、全反射することなく外部へ（つまり、他方の導光体の方へ）抜け出てしまう。そこで、上記第２反射シートは、上記各導光体の上面から抜けてしまう光の少なくとも一部を反射し、上記導光体に戻すように構成されている。【００６１】
上記構成によれば、上記第２反射シートは、上記一方の導光体に光を戻す役割をするため、光の利用効率を向上させることができる。【００６２】
なお、上記第２反射シートが一方の導光体に光を戻す上記の効果は、少なくとも上記第１の隙間に第２反射シートが設けられていれば得られるが、その効果の程度は、上記第１反射シートと積層するように第２反射シートを設ける方が、第２反射シートの面積が大きくなるので、増大する。したがって、上記一方の導光体の導光部と上記他方の導光体の発光部とが接する面の少なくとも一部を覆うように、上記第２反射シートを設けると、その効果の程度は、さらに大きくなり、上記一方の導光体の導光部に設けられた光源の上方の領域を覆うように、上記第２反射シートを設けると、その効果の程度は、さらに一層大きくなる。【００６３】
タンデム式の照明装置では、上記第２反射シートは、隣接する上記２つの導光体が重なるように連なる部分にできる第２の隙間へ延在して配置されていることが好ましい。【００６４】
＜導光体が重なるように連なる部分にできる第２の隙間＞
既に上述したように、導光体は、導光体同士の損傷、照明装置の薄型化、製造上の誤差等を考慮して、マイナス公差で製造されるのが一般的であり、そのため、導光体間の継ぎ目部分には、マイナス公差分の隙間が生じ、このような隙間は、上記導光体の出射面が連なって形成される発光面上においては、非発光領域として見えてしまうのである。したがって、このように複数の導光体が連なってなる照明装置を表示装置のバックライトとして用いた場合には、上記発光面上に輝度ムラが発生し、表示画像の品位の低下を招いてしまう。【００６５】
なお、導光体が重なるように連なる部分にできる第２の隙間とは、例えば、出射面を有する発光部と、該発光部へ光源からの光を導く導光部とを有する導光体において、一方の導光体の導光部に、該一方の導光体に隣り合う他方の導光体の発光部が乗り上げるように配置された場合に、このような配置で隣り合う２つの導光体の各出射面同士の繋ぎ目部分にできる隙間をいう。【００６６】
上記導光体が重なるように連なる部分にできる第２の隙間も、上述した第１の隙間と同じように、反射シートが存在しないため、暗所となるのである。【００６７】
上記構成によれば、上記第２反射シートが、上記第２の隙間へ延在して配置されているため、上記第２の隙間の一部または全部を第２反射シートが覆っている。これにより、反射シートが存在しないため発光部より暗い暗所となる事態を防ぐことができる。したがって、第１反射シートを複数の導光体に個別に設けることで、長い第１反射シートを使用せずに、薄型で、発光面における輝度の均一性をさらに向上させることのできる照明装置を実現することができる。【００６８】
本発明の照明装置において、上記第２反射シートは、隣接する２つの上記導光体が重ならないように連なる方向に複数枚配置され、かつ、その複数枚の第２反射シート間の継ぎ目に隙間ができないように設けられていることが好ましい。【００６９】
上記構成によれば、上記第２反射シートは、隣接する２つの上記導光体が重ならないように連なる部分にできる上記第１の隙間を覆うのみならず、各導光体の裏面に設けられた第１反射シートと重なるように、かつ隙間なく設けられている。【００７０】
ここで、第２反射シート間の継ぎ目に隙間ができないように、第２反射シートが設けられているとは、導光体が重ならないように連なる方向に沿って、第１反射シートの上で隣り合う第２反射シート同士をピッタリと隣接するように配置すること、あるいは、第２反射シート同士が継ぎ目で重なりを持ち、継ぎ目のところで完全に隙間ができないように配置したことの両方を意味する。【００７１】
つまり、導光体が重ならないように連なる方向に沿って、第１反射シートの上で隣り合う第２反射シート同士の間に隙間ができると、その隙間では、第１反射シートのみが存在することになる。この場合、第１反射シートと第２反射シートとが積層された状態に比べて、反射率が低減し、輝度ムラの原因となるおそれがある。【００７２】
したがって、上記の構成を採用することによって、輝度ムラの原因となるおそれをなくすことができる。【００７３】
この結果、各導光体の裏面において、第２反射シートが存在せず、第１反射シートだけが存在するといった領域が発生しない。したがって、第１反射シートの反射機能が、第２反射シートによって充分に補完されるので、第１反射シートの反射率が一様に向上し、光の利用効率を向上させることができる。【００７４】
また、上記の構成をタンデム式の照明装置に適用した場合、上記第１反射シートが、上記一方の導光体から他方の導光体へ抜ける光を遮蔽する遮蔽機能を、上記第２反射シートが充分に補完することもできる。したがって、光漏れや、光漏れによる輝度ムラなどが生じない適切な表示を可能にする。【００７５】
本発明の照明装置において、上記第１反射シートは、第１の接着部により、上記導光体に接着されていることが好ましい。【００７６】
第１反射シートと導光体の裏面との間に隙間ができると、その隙間が無い場合より光の損失が大きくなるので、輝度効率が低下する。したがって、第１反射シートと導光体の裏面とを第１の接着部によって密着させる方が、輝度効率を向上させることができる。【００７７】
なお、第１反射シートと導光体の裏面との密着による輝度効率の向上を図るには、上記導光体の上記反対側の面における端部分にて、第１反射シートを上記第１の接着部により接着した構成でもよい。【００７８】
本発明の照明装置において、上記第１反射シートは、第２の接着部により、上記第２反射シートに接着されていることが好ましい。【００７９】
第１反射シートと第２反射シートとが、少なくとも一部領域で積層構造を取る場合、両反射シート間に隙間ができると、その隙間が無い場合より光の損失が大きくなるので、輝度効率が低下する。したがって、第１反射シートと第２反射シートとを第２の接着部によって密着させる方が、輝度効率を向上させることができる。【００８０】
本発明の照明装置において、上記第２反射シートは、第３の接着部により、上記導光体が装着される基板に接着されていることが好ましい。【００８１】
各導光体の裏面側に設けられた第２反射シートが、導光体を装着する基板から浮き上がってしまうと、その浮き上がった箇所で光の損失が発生する。したがって、第２反射シートと基板とを第３の接着部によって密着させる方が、輝度効率を向上させることができる。【００８２】
本発明の面光源装置は、上記の課題を解決するために、上記照明装置の発光面上には、光学部材が設けられていることを特徴としている。【００８３】
光学部材は、例えば、上記照明装置から数ｍｍ程度離間した場所に配置した２〜３ｍｍ厚程度の拡散板である。但し、上記光学部材の厚さ及び上記照明装置からの離間距離は上記に限定されるものではない。【００８４】
さらには、面光源装置として、十分機能する程度の輝度均一性を確保できるように、例えば、上記拡散板の上面には、数百μｍ程度の拡散シートや、プリズムシートや、偏光反射シートなどの複合機能光学シートを積層していてもよい。上記の厚さや構成は例示的であり、これに限定されるものではない。【００８５】
上記構成によれば、照明装置の発光面に隙間が出来たとしても、薄型で、発光面における輝度の均一性をより向上させることのできる面光源装置を実現することができる。【００８６】
本発明の液晶表示装置は、上記の課題を解決するために、上記面光源装置をバックライトとして備えていることを特徴としている。【００８７】
上記の構成によれば、薄型で発光面の輝度均一性に優れた面光源装置をバックライトとして備えているため、表示品位が良好であり、かつ薄型の液晶表示装置を実現することができる。【００８８】
本発明の照明装置において、上記導光体の出射面における、相対的な暗所に対応する上記反対側の面側には、少なくとも、上記第１反射シートと上記第２反射シートとが重なりを持つように設けられていることが好ましい。【００８９】
上記構成によれば、上記光源の指向性により、光が届き難い上記導光体の出射面における、相対的な暗所に対応する上記反対側の面側には、少なくとも、上記第１反射シートと上記第２反射シートとが重なりを持つように設けられているので、上記導光体の出射面の輝度均一性をさらに向上させることができる。
【発明の効果】
【００９０】
本発明の照明装置は、以上のように、第１反射シートは、上記各導光体の出射面を有する面の反対側に、上記反対側の面を個々に覆うように設けられており、第２反射シートは、少なくとも、隣接する２つの上記導光体が重ならないように連なる部分にできる第１の隙間において、上記第１反射シートが存在しない領域を覆うように、上記２つの導光体間に跨って、上記導光体の裏面側に設けられている。【００９１】
また、本発明の照明装置は、以上のように、第１反射シートは、上記各導光体の出射面を有する面の反対側に、上記反対側の面を個々に覆うように設けられており、第２反射シートは、少なくとも、隣接する２つの上記導光体が重ならないように連なる部分にできる第１の隙間において、上記第１反射シートが存在しない領域を覆うように、上記反対側の面側に設けられている。【００９２】
また、本発明の面光源装置は、以上のように、上記照明装置の発光面上には、光学部材が設けられている。【００９３】
また、本発明の液晶表示装置は、以上のように、上記面光源装置をバックライトとして備えている。【００９４】
それゆえ、各導光体間に隙間が出来たとしても、薄型で、発光面における輝度の均一性をより向上させることのできる照明装置を実現することができるという効果を奏する。【００９５】
また、上記照明装置を備えることにより、照明装置の発光面に隙間が出来たとしても、第１反射シートを複数の導光体に個別に設けることで、長い第１反射シートを使用せずに、薄型で、発光面における輝度の均一性をより向上させることのできる面光源装置を実現することができるという効果を奏する。【００９６】
また、上記面光源装置をバックライトとして備えることにより、表示品位が良好であり、かつ薄型の液晶表示装置を実現することができるという効果を奏する。
【図面の簡単な説明】
【００９７】
【図１】本発明の一実施の形態の液晶表示装置に備えられた照明装置を出射面側から見た正面図である。
【図２】本発明の一実施の形態の液晶表示装置に備えられた照明装置の側面図である。
【図３】本発明の一実施の形態の液晶表示装置に備えられた照明装置の斜視図である。
【図４】本発明の一実施の形態の液晶表示装置の構成を示す側面図である。
【図５】本発明の他の実施の形態の液晶表示装置に備えられた照明装置を出射面側から見た正面図である。
【図６】本発明のさらに他の実施の形態の液晶表示装置に備えられた照明装置を出射面側から見た正面図である。
【図７】図６に示す照明装置のＡＡ線矢視断面図である。
【図８】（ａ）、（ｂ）および（ｃ）は、それぞれ従来の面光源装置の概略構成を示す図である。
【発明を実施するための形態】
【００９８】
以下、図面に基づいて本発明の実施の形態について例示的に詳しく説明する。ただし、この実施の形態に記載されている構成部品の寸法、材質、形状、その相対配置などは、特に限定的な記載がない限り、この発明の範囲をそれのみに限定する趣旨ではなく、単なる説明例に過ぎない。以下図１〜７に基づいて説明する。
【００９９】
〔実施の形態１〕
図４は、本発明の一実施の形態の液晶表示装置５１の概略構成を示す側面図である。
【０１００】
図４には、光源６と、光源６からの光を面発光させるとともに、一方の導光体５の導光部５ａに、他方の導光体５の発光部５ｂが乗り上げて配置され得る導光体５との組み合わせを複数個備えた照明装置３１によって構成された面光源装置４１をバックライトとして備えている液晶表示装置５１の構成を示す。
【０１０１】
図４に示すように、上記液晶表示装置５１は、さらに液晶表示パネル２１を備えており、上記面光源装置４１（バックライト）は、液晶表示パネル２１の背面に配置され、液晶表示パネル２１へ向かって光を照射するようになっている。
【０１０２】
上記導光体５は、上記光源６から出射された光を出射面５ｃから面発光させるものである。図４に図示されているように、上記出射面５ｃは、照射対象である光学部材８に対面しており、上記光学部材８に対して光を照射するための面である。また、上記出射面５ｃは、上記光学部材８を省いて直接、液晶表示パネル２１と対面させることも可能である。
【０１０３】
以下図１〜３を参照して、上記照明装置３１の構成について、詳細に説明する。
【０１０４】
図１は、本発明の一実施の形態の液晶表示装置５１に備えられた照明装置３１を出射面５ｃ側から見た正面図である。図２は、上記照明装置３１の側面図である。さらに、図３は、上記照明装置３１の斜視図である。
【０１０５】
図２に図示されているように、上記照明装置３１は、出射面５ｃを有する発光部５ｂと、該発光部５ｂへ上記光源６からの光を導く導光部５ａとを有する導光体５を複数備えている。なお、その複数の導光体５は、一方の導光体５の導光部５ａに、該一方の導光体５に隣り合う他方の導光体５の発光部５ｂが乗り上げるように配置されている。さらに、上記照明装置３１は、詳しくは後述する第１反射シート３及び第２反射シート４、上記光源６、および上記光源６を配置するための基板７を備えている構成である。これにより、上記照明装置３１は、上記光源６から出射された光を拡散させて面発光させる働きをする。
【０１０６】
＜導光体＞
既に上述したように、導光体は、導光体同士の損傷、照明装置の薄型化、製造上の誤差等を考慮して、マイナス公差で製造されるのが一般的であり、そのため、導光体間の継ぎ目部分には、マイナス公差分の隙間が生じ、このような隙間は、上記導光体の出射面が連なって形成される発光面上においては、非発光領域として見えてしまうのである。したがって、このように複数の導光体が連なってなる照明装置を表示装置のバックライトとして用いた場合には、上記発光面上に輝度ムラが発生し、表示画像の品位の低下を招いてしまう。
【０１０７】
なお、本発明の一実施の形態の液晶表示装置５１に備えられた照明装置３１において、上記隙間は、その生成メカニズムによって、以下に詳述するように、導光体が重ならないように連なる部分にできる隙間（第１の隙間）と、導光体が重なるように連なる部分にできる隙間（第２の隙間）との２種類が存在する。
【０１０８】
なお、図１および図３に示すように、一方の導光体５の導光部５ａの上に、これと隣り合う他方の導光体５の発光部５ｂが乗り上げるように配置されていく方向をＤ２方向と呼び、このＤ２方向において、上記導光体５が重なるように連なっている。また、このＤ２方向と交差する（略直交する）方向をＤ１方向と呼び、このＤ１方向において、上記導光体５が重ならないように連なっている。
【０１０９】
＜導光体が重ならないように連なる部分にできる隙間＞
導光体５が重ならないように連なる部分にできる第１の隙間１とは、図１および図３に図示されているように、各導光体５がＤ１方向に連なるときに、隣り合う導光体５同士の間に発生する隙間を指す。すなわち、上記各導光体５がＤ１方向に連なるときには、上記隣接する各導光体５間には、重なる部分が全く存在しない。上記隣接する各導光体５間に、重なる部分が全く存在しないことにより、上記第１の隙間１を覆うために、後述する第２反射シート４を上記隣接する導光体５間に跨って、設けることが可能となる。
【０１１０】
＜導光体が重なるように連なる部分にできる隙間＞
一方、導光体５が重なるように連なる部分にできる第２の隙間２とは、図１および図３に図示されているように、一方の導光体５の導光部５ａに、該一方の導光体５に隣り合う他方の導光体５の発光部５ｂが乗り上げるように配置された場合に、上記一方の導光体５の出射面５ｃと上記他方の導光体５の出射面５ｃの繋ぎ目部分にできる隙間を指す。すなわち、各導光体５がＤ２方向に連なるときに発生する隙間を指す。このような第２の隙間２に起因した非発光領域を減らすためには、後述する第２反射シート４を図１および図２に図示するように、重なる方向（Ｄ２方向）に延在して配置するとよい。
【０１１１】
なお、第２反射シート４を第２の隙間２の一部を覆う程度にＤ２方向にはみ出させた場合でも、第２の隙間２に起因した非発光領域による暗線を低減する効果を得ることができるが、第２反射シート４を第２の隙間２の全体を覆うように、Ｄ２方向に長くはみ出させることが、上記暗線を低減する効果を大きくするために好ましい。以上のように、本発明の一実施の形態の液晶表示装置５１に備えられた照明装置３１は、一方の導光体５の導光部５ａに、該一方の導光体５に隣り合う他方の導光体５の発光部５ｂが乗り上げるように配置されるタンデム式照明装置であり、上記タンデム式照明装置においては、導光体５が重ならないように連なる部分にできる第１の隙間１と導光体が重なるように連なる部分にできる第２の隙間２とがそれぞれ存在する。
【０１１２】
また、上記導光体５においては、光源６に面した入射面５ｄから入射された光を上記出射面５ｃから効率よく出射させるため、導光体５の導光部５ａでの光の損失を最小に抑える必要がある。
【０１１３】
したがって、上記導光部５ａの上面と下面とを略平行に形成することにより、入射された光が導光部５ａにおいて、全反射条件を満たした状態で導光されることにより、光量を維持することができる構成となっている。なお、全反射条件を満たした状態とは、導光体５の内面で反射される光の入射角（反射角と等しい）が、導光体５を構成する材質によって決まる全反射臨界角を上回る状態のことである。導光体５の内面で反射される光の入射角が全反射臨界角を下回ると、全反射されずに、導光体の内面から外部へ抜け出てしまう。
【０１１４】
また、図４に図示されているように、上記出射面５ｃは、光学部材８と略平行に設けられているので、本発明の照明装置３１に光学部材８を組み合わせて、均一な面発光を行なう面光源装置４１を設計する場合に、上記出射面５ｃから光学部材８までの距離を一定にすることができるため、面発光を均一化するための光学設計が容易になるというメリットを生み出すことができる。
【０１１５】
さらには、隣り合う導光体５同士が、照射対象面である上記光学部材８に対し傾斜して重なるように配置されているので、上記出射面５ｃは、上記導光体５において、上記出射面５ｃの反対側の面に対して平行ではない。このため、導光体５の形状は、光源６から離れていくにつれて、細くなるように形成されている。
【０１１６】
上記のような構成とすることにより、導光体５内を導光されてきた光は、上記光源６から離れていくにつれて、徐々に全反射条件が崩され、上記出射面５ｃから出射されることとなる。
【０１１７】
上記導光体５は、ポリカーボネート（ＰＣ）、ポリメチルメタクリレート（ＰＭＭＡ）などの透明樹脂で形成すればよいがこれらに限定されることはなく、導光体として一般的に使用される材料で形成することができる。導光体５は、例えば射出成型や押出成型、熱プレス成型、切削加工等によって形成することが可能である。ただし、これら方法には限定されず、同様の特性が発揮される加工方法であれば、どのような方法でもよい。
【０１１８】
＜第１反射シート＞
上記第１反射シート３は、図１〜３に図示されているように、上記各導光体５の出射面５ｃを有する面の反対側に、上記反対側の面を個々に覆うように設けられている。なお、図１において、第１反射シート３は、図面が複雑になるのを避けるため、一部省略し、一部分のみ図示している。
【０１１９】
上記第１反射シート３は、上記導光体５のそれぞれにおける上記反対側の面から抜けていく光を反射し、上記導光体５に戻すことにより、個々の導光体５の光利用効率を向上させる役割をしている。なお、より具体的に説明すると、上記第１反射シート３は、図２に図示されているように、上記各導光体５の出射面５ｃを有する面の反対側の面の法線に対して、上記導光体５を構成する材質によって決まる全反射臨界角以下で入射することによって、上記導光体５を抜けてしまう光Ｌａを反射し、上記導光体５に戻すようになっている。
【０１２０】
＜第２反射シート＞
上記第２反射シート４は、上述した導光体５が重ならないように連なる部分にできる第１の隙間１を覆うように、少なくとも、上記２つの導光体５間に跨って、上記第１反射シート３の上記導光体５側の面の反対側に設けられている。また、図１に示すように、第２反射シート４は、第１反射シート３に対してＤ１方向にずらして配置されている。
【０１２１】
なお、図１において、第１反射シート３と同じように、第２反射シート４を図面が複雑になるのを避けるため、一部省略し、一部分のみ図示しているが、実際は、複数枚の第２反射シート４が、Ｄ１方向に連続して、すなわち、Ｄ１方向に隣接する第２反射シート４同士の継ぎ目に隙間を生じさせることなく、ピッタリと隣接するように設けられている。あるいは、その継ぎ目で、第２反射シート同士が重なりを持つようにして、継ぎ目における隙間の発生を完全に防止してもよい。
【０１２２】
また、第２反射シート４のＤ１方向の幅は、少なくとも１つの第１の隙間１を覆うことができさえすればよく、特に限定はされない。例えば、第２反射シート４のＤ１方向の幅が、導光体５のＤ１方向の幅より短くてもよい。ただし、この場合には、Ｄ１方向に隣り合う第２反射シート４同士が離間するので、その第２反射シート４同士の間には、第１反射シート３のみ存在し、第１反射シート３と第２反射シート４とが積層しない領域が発生する。
【０１２３】
第１反射シート３と第２反射シート４とが積層しない領域が発生すると、その領域では、第１反射シート３の後述する反射機能や遮蔽機能を第２反射シート４が補完できないので、照明装置３１の性能を高めるには、上記のような領域を発生させないことが好ましい。上記のような領域を発生させないためには、少なくとも、第２反射シート４のＤ１方向の幅を、導光体５のＤ１方向の幅に、第１の隙間１のＤ１方向の幅を１つ分加算した値にするとよい。この幅は、Ｄ１方向に隣接する第２反射シート４同士の継ぎ目に隙間を生じさせることなく、第２反射シート４をＤ１方向にピッタリとくっつけて配置するための最小幅となる。
【０１２４】
あるいは、図１に図示されているように、第２反射シート４が２つの第１の隙間１を同時に覆うことができるように、第２反射シート４のＤ１方向の幅を、導光体５のＤ１方向の幅２つ分に、第１の隙間１のＤ１方向の幅を２つ分加算した値にしてもよい。
【０１２５】
また、Ｄ２方向においては、導光体５が重なるように配置されているため、図１において、上記第２反射シート４は、重なるように図示されている。
【０１２６】
上記第２反射シート４の形状または、設け方は、これに限定されず、例えば、上記第２反射シート４が３つ以上の複数の第１の隙間１を覆うように、上記導光体５に対して部分的に設けられていてもよい。
【０１２７】
したがって、上記第２反射シート４は、後で詳述するように、長過ぎることが問題とならない限り、大きさおよび形状を適宜選択することが可能である。
【０１２８】
本実施の形態においては、図１に示すように、上記第２反射シート４が、上記第１の隙間１を覆うように、少なくとも、２つの隣り合う導光体５間に跨って、設けられていることにより、上記第１の隙間１が、反射シートが存在しないために発生する暗所を防ぐことができる。
【０１２９】
また、さらには、図２に図示されているように、上記第２反射シート４が、上記第２の隙間２をも覆うように設けられているため、上記第２の隙間２からも反射光Ｌｃを出射させることができる。したがって、上記第２の隙間２に反射シートが存在しないために発生する暗所を防ぐことができ、薄型で、発光面における輝度の均一性をさらに向上させることのできる照明装置３１を実現することができる。
【０１３０】
また、上記第１反射シート３と上記第２反射シート４とは、少なくとも部分的に重なりを持つように設けられていることが好ましい。
【０１３１】
第１反射シート３と第２反射シート４とが部分的に重なりを持つとは、部分的に２層に積層されていることを意味している。第１反射シート３と第２反射シート４との積層構造を、少なくとも部分的に採用すれば、導光体５の裏面から抜けていく光を第１反射シート３が反射して導光体５に戻す反射機能が、積層された第２反射シート４によって補完される。これにより、第１反射シート３の反射率が改善されるため、導光体５の輝度効率を改善することができる。
【０１３２】
なお、第１反射シート３が設けられた導光体５の上記裏面に設ける第２反射シート４の面積を大きくするほど、上記積層構造の面積が大きくなるので、第１反射シート３の反射率が改善され、輝度効率をさらに改善することができる。
【０１３３】
また、特に、タンデム式の照明装置では、図４に示すように、他方の導光体５の下方に、一方の導光体５の光源６が位置している。このため、例えば、上記光源６それぞれを独立的にコントロールし、上記照明装置３１の発光面の輝度を部分的にコントロールするローカルディミング法などにおいて、他方の導光体５の発光面を暗表示にしたい場合、一方の導光体の光源６からの光が、他方の導光体５の裏面に設けた第１反射シート３を透過すると、暗表示が不十分になったり、暗表示をしたい発光面にムラが発生したりする。
【０１３４】
このような問題に対して、上記第１反射シート３と第２反射シート４とを積層構造とすることにより、第１反射シート３の遮蔽率を改善し、暗表示の適切化および上記ムラの改善を図ることができる。
【０１３５】
また、本発明の一実施の形態の液晶表示装置５１に備えられた照明装置３１において、上記第２反射シート４は、上記一方の導光体５の導光部５ａと上記他方の導光体５の発光部５ｂとが接する面の少なくとも一部を覆うように設けられていることが好ましく、上記接する面の全体を覆うように設けられていることがより好ましい。
【０１３６】
タンデム式の照明装置においては、図４に示すように、上記他方の導光体５の発光部５ｂの下側に接して、上記一方の導光体５の導光部５ａが配置されている。この場合に、第２反射シート４は、第１の隙間１を覆うのみならず、上記一方の導光体５の導光部５ａの上面（出射面側の面）と上記他方の導光体５の発光部５ｂの下面（出射面５ｃと反対側の面）とが重なる領域の少なくとも一部を覆うように、上記各導光体５の裏面側に設けられている。
【０１３７】
これにより、上記他方の導光体５の裏面に設けられた第１反射シート３に対して、第２反射シート４が部分的に積層した構造となる。したがって、既に説明したように、上記他方の導光体５に設けられた第１反射シート３の反射率の改善効果と、当該第１反射シート３が、上記一方の導光体５の光源６から出射された光を遮蔽する遮蔽率の改善効果とを得ることができる。
【０１３８】
なお、上記接する面の少なくとも一部を覆うように第２反射シート４設ける場合に、上記一方の導光体５の導光部５ａに設けられた光源６の上方の領域を覆うように設けられていることが特に好ましい。これにより、上記一方の導光体５の光源６から出射された光を最も遮蔽しやすい位置に、上記第２反射シート４を設けることになるので、上記他方の導光体５に設けられた第１反射シート３が、上記一方の導光体５の光源６から出射された光を遮蔽する効果を得やすい。
【０１３９】
さらに、上記第２反射シート４は、両面反射シートで構成されていることが好ましい。
【０１４０】
したがって、図２に図示されているように、上記第２反射シート４は、上記導光体５のそれぞれにおける導光部５ａの上面（出射面５ｃ側の面）から抜けていく光Ｌｂを反射し、上記導光体５に戻すことにより、個々の導光体５の光利用効率を向上させる役割を果たすことができる。なお、上記第２反射シート４は、上記導光体５の導光部５ａの上面において前述の全反射条件が崩れた結果、上記導光体５を抜けてしまう光Ｌｂを反射し、上記導光体５に戻すように構成されている。
【０１４１】
上記構成によれば、上記第２反射シート４は、上記一方の導光体５に光を戻す役割をするため、光の利用効率を向上させることができる。
【０１４２】
また、さらには、上記第２反射シート４は、上記第１反射シート３とともに、上記一方の導光体５を抜けてしまった光を遮蔽し、上記他方の導光体５の出射面５ｃから出射することを防止できる。
【０１４３】
上述した第１の隙間１を覆う際に１枚の反射シートのみを用いた場合は、長い１枚ものの反射シートを用いて上記第１の隙間１を覆う構成が考えられる。しかし、反射シートの長さが長くなると、反射シートを導光体に設ける工程において、位置決定や固定が難しくなり、作業性が落ちるとともに、反射シートの熱収縮により、皺が発生し、反射シートが導光体から浮きやすくなってしまうなどの問題が発生する。
【０１４４】
一方、上記の長い反射シートとは逆に、短い反射シートを用いて、上記第１の隙間１を覆うべく、各導光体５間に跨って反射シートを設けた場合には、反射シートが短いために、反射シートの繋ぎ目部分に反射シートが存在しない領域が発生してしまうという問題がある。
【０１４５】
したがって、本発明の一実施の形態の液晶表示装置５１に備えられた照明装置３１においては、第１反射シート３および第２反射シート４を備えており、２枚の反射シートを用いる構成とし、１枚構成の問題の解消を図っている。
【０１４６】
また、さらに、上記第１反射シート３または、第２反射シート４の長さが長くなると上述したような問題が発生するため、上記第１反射シート３は、上記各導光体５の裏面を覆うように導光体５毎に設けており、上記第２反射シート４は、導光体５間に跨って設ける構成としている。したがって、上記第１反射シート３及び第２反射シート４の形状は、各導光体５の形状の影響を受ける構成となっている。
【０１４７】
上記第１反射シート３または、第２反射シート４としては、銀、アルミニウムなどの反射率の高い物質を蒸着した正反射シートや拡散反射を有する白色反射シートの何れかを用いることや、上記２枚の反射シートを重ね合わせた反射シートを用いることが可能である。
【０１４８】
その中でも、熱的安定性が優れているＰＥＴ系白色反射シートを用いることが好ましい。ＰＥＴ系白色反射シートは、その構成から大きく分類すると、白色無機粒子をＰＥＴに添加したタイプ、ＰＥＴと非相溶な樹脂（オレフィン系樹脂など）をＰＥＴに添加したタイプ、ＰＥＴシートに炭酸ガスなどを含浸させ発泡させたタイプなどがあるが、何れのタイプのものを用いてもよい。
【０１４９】
また、上記正反射シートを用いる場合には、正反射シートの少なくとも一方の面に凹凸を設けたり、白色材料を塗布したりすることにより、正反射シートの少なくとも一方の面における所望の領域に、容易に拡散反射層を形成することができる。微細な凹凸による拡散反射は、出射面５ｃにおける輝度ムラの発生をより効果的に抑制することができる。また、特に第１の隙間１付近で微細な凹凸が存在している方が、光を微細な凹凸で散乱させて上方（観察者の方向）に光を出射させ光利用効率を上げることができる。
【０１５０】
上記正反射シートに凹凸を設ける方法としては、例えば、射出成形や金型による成形あるいはエンボス加工等により、シートの形成と同時に形成する方法が挙げられる。また、その他にも、正反射シートの表面に、プリズム加工やドット加工、あるいは、レーザ等による粗面処理等を施す方法が挙げられる。
【０１５１】
また、第２反射シート４を両面反射シートとして用いる場合には、例えば、両面反射の反射シートをそのまま用いてもよいし、片面反射シートを市販の接着剤（糊剤）等を用いて互いに貼り合わせて第２反射シート４として用いることも可能である。
【０１５２】
なお、上記第１反射シート３と上記第２反射シート４とを設ける順序としては、タンデム式の照明装置３１において、上記第２反射シート４として両面反射シートが用いられる場合は、図２に図示されているように、上記導光体５の出射面５ｃを有する面の反対側の面に第１反射シート３を設け、上記第１反射シート３の上記導光体５と対向する面の反対面に第２反射シート４を設けることが好ましいが、これに限定されることはなく、適宜その順序を変えることもできる。
【０１５３】
以下、図３および図４を参照して、上述した本発明の一実施の形態の液晶表示装置５１について、さらに説明を行う。
【０１５４】
光源６は、図３に図示されているように、導光体５において発光部５ｂから遠い側に位置する導光部５ａの端部に沿って配置されている。特にその種類に制限があるわけではないが、本実施の形態においては、光源６として、発光ダイオード（ＬＥＤ）を用いている。
【０１５５】
上記光源６を白色ＬＥＤで構成してもよいし、赤（Ｒ）、緑（Ｇ）、青（Ｂ）という３色のＬＥＤで構成してもよい。光源６を白色ＬＥＤで構成した場合には、コストを下げるメリットがある一方、光源６をＲＧＢ−ＬＥＤで構成した場合には、色再現範囲を拡大できるメリットがある。
【０１５６】
なお、光源６をＲＧＢ−ＬＥＤで構成した場合でも、出射面５ｃにおいて白色の光を照射することができる。また、発光ダイオードの色の組み合わせは、各色のＬＥＤの発色特性、および、液晶表示装置５１の利用目的に応じて所望とされる面光源装置４１の発色特性などに基づいて適宜決定することができる。なお、各色のＬＥＤチップが１つのパッケージにモールドされているサイド発光タイプのＬＥＤを用いてもよい。
【０１５７】
本実施の形態においては、図４に示す液晶表示パネル２１として、面光源装置４１（バックライト）からの光を透過して表示を行う透過型の液晶表示パネルを用いている。
【０１５８】
なお、液晶表示パネル２１の構成は特に限定されず、適宜公知の液晶パネルを適用することができる。図示は省略するが、液晶表示パネル２１は、例えば、複数のＴＦＴ（薄膜トランジスタ）が形成されたアクティブマトリクス基板と、これに対向するカラーフィルタ基板とを備え、これらの基板の間に液晶層がシール材によって封入された構成を有している。
【０１５９】
上記基板７は、光源６を配置するためのものであり、輝度向上を図るために白色であることが好ましい。なお、基板７の背面（光源６が実装されている面の反対側の面）側には、図示はしていないが、光源６を構成する各ＬＥＤを点灯制御するためのドライバが実装されている。すなわち、ドライバは、ＬＥＤとともに同一の基板７に実装されている。同一基板に実装をすることにより、基板の数を削減できるとともに、基板間を繋ぐコネクタ等が削減できるため、装置のコストダウンを図ることができる。また、基板の数が少ないため、液晶表示装置５１の薄型化を図ることもできる。
【０１６０】
光学部材８は、拡散板と複合機能光学シートとから構成されており、上記複合機能光学シートは、拡散、屈折、集光および偏光を含む各種光学的機能から選択された複数の光学的機能を備えている。
【０１６１】
上記光学部材８の１つとして、例えば、上記照明装置３１から数ｍｍ程度離間した場所に配置した２〜３ｍｍ厚程度の拡散板を採用することができる。但し、上記拡散板の厚さ及び上記照明装置３１からの離間距離は上記に限定されるものではない。
【０１６２】
上記拡散板は、上記出射面５ｃが連なって形成される発光面全体を覆うように、上記発光面から所定の距離をもって、発光面に対向配置される。上記拡散板は、発光面から出射した光を拡散させる。
【０１６３】
さらには、上記面光源装置４１として、十分機能する程度の輝度均一性を確保できるように、例えば、上記拡散板の上面には、数百μｍ程度の拡散シートや、プリズムシートや、偏光反射シートなどの複合機能光学シートを積層してもよい。上記の厚さや構成は例示的であり、これに限定されるものではない。
【０１６４】
上記複合機能光学シートは、導光体５の前面側に重ねて配置された複数のシートによって構成され、導光体５の出射面５ｃから出射された光を均一化するとともに集光して、液晶表示パネル２１へ照射するものである。
【０１６５】
すなわち、上記複合機能光学シートには、光を集光しつつ散乱させる拡散シートや、光を集光して正面方向（液晶表示パネル２１の方向）の輝度を向上させるレンズシートや、光の一方の偏光成分を反射して他方の偏光成分を透過することによって液晶表示装置５１の輝度を向上させる偏光反射シートなどを適用することができる。これらは、液晶表示装置５１の価格や性能によって適宜組み合わせて使用することが好ましい。
【０１６６】
本発明の一実施の形態の液晶表示装置５１に備えられた面光源装置４１は、以上のように、光学シートを備えた構成となっている。
【０１６７】
上記構成によれば、導光体５の発光面に隙間が出来たとしても、薄型で、発光面における輝度の均一性をより向上させることのできる面光源装置４１を実現することができる。
【０１６８】
また、本発明の一実施の形態の液晶表示装置５１は、上記面光源装置４１をバックライトとして備えている。
【０１６９】
上記の構成によれば、薄型で発光面の輝度均一性に優れた面光源装置４１をバックライトとして備えているため、表示品位が良好であり、かつ薄型の液晶表示装置５１を実現することができる。
【０１７０】
〔実施の形態２〕
つぎに、図５に基づいて、本発明の第２の実施形態について説明する。なお、本実施の形態において説明すること以外の構成は、上記実施の形態１と同じである。また、説明の便宜上、上記の実施の形態１の図面に示した部材と同じ機能を有する部材については、同じ符号を付し、その説明を省略する。
【０１７１】
図５は、本発明の他の実施の形態の液晶表示装置に備えられた照明装置３１ａを出射面９ｃ側から見た正面図である。
【０１７２】
本実施の形態で用いている導光体９は、上述した導光体５と同じように導光部９ａと発光部９ｂを有するとともに、図５に図示されているように、実施の形態１で用いた導光体５がＤ１方向に２つ繋がって、１つの導光体９となっている構成である。
【０１７３】
すなわち、第１サブ導光体９ｄと第２サブ導光体９ｅとで導光体９を構成している。
【０１７４】
上記照明装置３１ａにおいては、第１反射シート３は、上記各導光体９の出射面９ｃを有する面の反対側に、上記反対側の面を覆うように設けられているため、上記第１サブ導光体９ｄと第２サブ導光体９ｅとの間にできる発光面間の隙間１０は、第１反射シート３によって覆われている。したがって、このような導光体９を用いることにより、第１反射シート３が設けられていない上述した第１の隙間１を減らすことができる。
【０１７５】
なお、本実施の形態においては、第２反射シート４は、上記第１の隙間１を覆うように、上記２つの導光体９間に跨って、設けられている。また、上記第２反射シート４は、上記第２の隙間２において、Ｄ２方向にはみ出して設けられ、好ましくは、上記第２の隙間２を覆うように設けられている。
【０１７６】
本実施の形態においては、２個のサブ導光体から構成される導光体９を用いて例示的に説明を行ったが、サブ導光体の数は必要に応じて適宜選択可能であることはもちろんである。但し、設ける第１反射シート３または、第２反射シート４の長さが、各シート３、４の位置決定や固定の困難さ、作業性の低下、皺の発生などの問題を引き起こさないという条件を満足するように、サブ導光体の数を選択することが好ましい。
【０１７７】
〔実施の形態３〕
次に、図６および図７に基づいて、本発明の第３の実施形態について説明する。なお、本実施の形態において説明すること以外の構成は、上記実施の形態１と同じである。また、説明の便宜上、上記の実施の形態１の図面に示した部材と同じ機能を有する部材については、同じ符号を付し、その説明を省略する。
【０１７８】
図６は、本発明のさらに他の実施の形態の液晶表示装置に備えられた照明装置３１ｂを出射面１１ａ側から見た正面図である。
【０１７９】
また、図７は、図６に示す照明装置３１ｂのＡＡ線矢視断面図である。
【０１８０】
導光体１１は、光源６から出射された光を出射面１１ａから面発光させるものである。なお、上記出射面１１ａが連なって構成される発光面は、照射対象に対して光を照射するための面である。
【０１８１】
他の構成部材については、実施の形態１と略同様の構成であるため、その説明を省略する。
【０１８２】
本実施の形態において、照明装置３１ｂを構成する導光体１１は、少なくとも２つ以上で構成される。つまり、照明装置３１ｂは、導光体１１と光源６とを組み合わせて同一平面上に複数個並べて構成されている。
【０１８３】
また、図６及び図７に示すように、本実施の形態の照明装置３１ｂでは、各導光体１１同士が、互いに重ならないように同一平面上に並んで配置されていることで、複数の導光体１１の各出射面１１ａが面一状に発光面を形成している。
【０１８４】
また、図６に図示されているように、２個の光源６Ｌ・６Ｒ（対をなす点状光源）を有する導光体１１が、縦横に複数個整列して配置されている。このように、照明装置３１ｂは、２個の光源６Ｌ・６Ｒを有する複数個の導光体１１がタイルを敷き詰めるように並んで配置されているため、タイル式の照明装置と呼ばれる。
【０１８５】
なお、光源６Ｌ・６Ｒを導光体１１の中央に配置した構成や、導光体１１の４辺に複数配置した構成としてもよい。
【０１８６】
また、本実施の形態においては、２個の光源６Ｌ・６Ｒが、長方形状の導光体１１の対向する２辺の中央部付近に配置している構成を用いて例示的に説明をしたが、上記光源の数や配置は、必要に応じて、適宜選択することができる。
【０１８７】
なお、図６に示すように、長方形状の導光体１１おいて、２個の光源６Ｌ・６Ｒが対向配置している方向をＤ２方向と呼び、このＤ２方向と交差する（略直交する）方向をＤ１方向と呼ぶ。
【０１８８】
また、図７に図示されているように、上記各光源６Ｌ・６Ｒは、それぞれ導光体１１の内部に設けられた空洞状の凹部１１ｂ内に収められ、互いに対向するように配置されている。なお、各光源６Ｌ・６Ｒは基板１２の上に載せられている。そして、図７に示すように、各光源６Ｌ・６Ｒからの光の出射方向が、一方の光源からの光が他方の光源に向かって照射されるように、各光源６Ｌ・６Ｒからの光の出射方向が設定されている。
【０１８９】
このように、上記構成によれば、対向する２個の光源６Ｌ・６Ｒが配置されている。
【０１９０】
すなわち、光源６Ｌおよび光源６Ｒを、それぞれの光源からの光が導光体１１の内部に入射するように向かい合って配置することで、各光源による発光領域を重ね合わせて導光体１１の出射面１１ａ全域から発光を得ることができる。本実施の形態では、このような照明装置３１ｂを用いることにより、暗部のない大型のバックライトを得ることができる。
【０１９１】
以上のように、上記光源６Ｌ・６Ｒから出射された光は、散乱作用と反射作用を繰り返しながら導光体１１内を伝播し、出射面１１ａから出射し、図示してない上述した光学部材８を通り液晶表示パネル２１に到達する構成となっている。
【０１９２】
しかしながら、タイル式の照明装置３１ｂにおいても、上述した第１の隙間１が発生するという問題がある。すなわち、図６および図７に示すように、上記照明装置３１ｂにおいては、第１反射シート３は、上記基板１２間を覆うように、上記各導光体１１の出射面１１ａの反対側の面に個々に設けられる構成であるため、上記各導光体１１が重ならないように連なる部分には、第１反射シート３が存在しない上記第１の隙間１が発生することとなる。
【０１９３】
これに対し、本実施の形態においては、図６に斜線部として示すように、第２反射シート４が、上記第１の隙間１において、上記基板１２によって覆われていない部分を覆うように設けられている。具体的には、上記各導光体１１が重ならないようにＤ１方向に連なることによって形成された第１の隙間１については、上記基板１２が存在していないので、第２反射シート４を設けている。
【０１９４】
一方、上記各導光体１１が重ならないようにＤ２方向に連なることによって形成された第１の隙間１については、上記基板１２が覆っているため、第２反射シート４を設けていない。上記基板１２は、光源６Ｌ・６Ｒの出射光を反射して各出射面１１ａの輝度向上を図るために白色であることが好ましく、第２反射シート４と同等の反射機能を有していることがより好ましい。
【０１９５】
上記構成によれば、各導光体が互いに重ならないように並んで配置される照明装置（タイル式照明装置）においても、各導光体間に隙間が出来たとしても、薄型で、発光面における輝度の均一性をより向上させることのできる照明装置を実現することができる。
【０１９６】
また、タイル式の照明装置３１ｂにおいても、上記第１反射シート３と第２反射シート４とが、少なくとも部分的に重なりを持つように設け、積層構造を採ることによって、第１反射シート３の反射率を向上させる効果を得ることができる。この効果は、第２反射シート４の面積を大きくして、積層構造の面積を大きくするほど増大する。すなわち、タイル式の照明装置３１ｂにおいても、導光体１１の裏面に、第１反射シート３のみが存在する領域を生じさせないように、Ｄ１方向に隣接する第２反射シート４同士の継ぎ目に隙間を生じさせることなく、第２反射シート４をＤ１方向にピッタリとくっつけて配置するか、あるいは、その継ぎ目において、第２反射シート４同士に重なりを持たせることが、第１反射シート３の反射率を向上させ、さらに、第１反射シート３の反射率を均一にする上で好ましい。
【０１９７】
以上説明した照明装置３１、３１ａ、３１ｂにおいて、上記第１反射シート３は、図２および図７に示すように、接着層１３（第１の接着部）により、上記導光体５（または１１）に接着されていることが好ましい。
【０１９８】
第１反射シート３と導光体５（または１１）の裏面との間に隙間ができると、その隙間が無い場合より光の損失が大きくなるので、輝度効率が低下する。したがって、第１反射シート３と導光体５（または１１）の裏面とを上記接着層１３によって密着させる方が、輝度効率を向上させることができる。
【０１９９】
なお、第１反射シート３と導光体５（または１１）の裏面との密着による輝度効率の向上を図るには、上記導光体５（または１１）の上記裏面における端（外周）部分にて、第１反射シート３を接着した構成でもよい。
【０２００】
さらに、上記照明装置３１、３１ａ、３１ｂにおいて、上記第１反射シート３は、図２および図７に示すように、接着層１４（第２の接着部）により、上記第２反射シート４に接着されていることが好ましい。
【０２０１】
第１反射シート３と第２反射シート４とが、少なくとも一部領域で積層構造を取る場合、両反射シート３・４間に隙間ができると、その隙間が無い場合より光の損失が大きくなるので、輝度効率が低下する。したがって、第１反射シート３と第２反射シート４とを接着層１４によって密着させる方が、輝度効率を向上させることができる。
【０２０２】
さらに、上記第２反射シート４は、図２および図７に示すように、接着層１５（第３の接着部）により、上記導光体５（または１１）が装着される基板７・１６に接着されていることが好ましい。
【０２０３】
各導光体５（または１１）の裏面側に設けられた第２反射シート４が、導光体５（または１１）を装着する基板７・１６から浮き上がってしまうと、その浮き上がった箇所で光の損失が発生する。したがって、第２反射シート４と基板７・１６とを接着層１５によって密着させる方が、輝度効率を向上させることができる。
【０２０４】
以上で説明した照明装置３１、３１ａ、３１ｂにおいて、導光体５・９・１１の出射面５ｃ・９ｃ・１１ａにおける、相対的な暗所には、少なくとも、上記第１反射シート３と上記第２反射シート４とが重なりを持つように設けられていることが好ましい。
【０２０５】
上記構成によれば、上記光源６・６Ｌ・６Ｒの指向性により、光が届き難い上記導光体５・９・１１の出射面５ｃ・９ｃ・１１ａにおける、相対的な暗所、例えば、上記出射面５ｃ・９ｃ・１１ａ上の数箇所を測定して求めた平均発光量より低い発光量を示す領域においては、少なくとも、上記第１反射シート３と上記第２反射シート４とが重なりを持つように設けることができる。
【０２０６】
よって、上記低い発光量を示す領域において、反射率が向上され、上記導光体の出射面の輝度均一性をさらに向上させることができる。
【０２０７】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０２０８】
本発明は、液晶表示装置のバックライトなどとして利用される照明装置と、その照明装置を備えた面光源装置と、その面光源装置を備えた液晶表示装置とに適用することができる。
【符号の説明】
【０２０９】
１、２、１０                隙間
３                          第１反射シート
４                          第２反射シート
５、９、１１                導光体
５ａ、９ａ                  導光部
５ｂ、９ｂ                  発光部
５ｃ、９ｃ、１１ａ          出射面
６、６Ｌ、６Ｒ              光源
７、１６                    基板
８                          光学シート
１３                        第１の接着部
１４                        第２の接着部
１５                        第３の接着部
３１、３１ａ、３１ｂ        照明装置
４１                        面光源装置
５１                        液晶表示装置
【図１】
2010038516.tif 000003
【図２】
2010038516.tif 000004
【図３】
2010038516.tif 000005
【図４】
2010038516.tif 000006
【図５】
2010038516.tif 000007
【図６】
2010038516.tif 000008
【図７】
2010038516.tif 000009
【図８】
2010038516.tif 000010
【国際調査報告】
2010038516.tif 000011
2010038516.tif 000012
2010038516.tif 000013
2010038516.tif 000014